(57)【要約】【課題】シートのサイド・サポート部分にサポート性と乗降性を両立させて乗り降りおよび座り心地を向上させる。【解決手段】左右のサイド・サポート・コア１７、１８、２６、２７、５７、５８、６５、６６が、たわみ方向性のある櫛歯状、ハニカム状などのリブ構造で支持断面形状に形成され、そして、別体で左右のサイド・サポート１５、１６、２４、２５、５５、５６、６３．６４に対応的にはめ込まれ、もしくは、パッド成形時にその左右のサイド・サポート１５、１６、２４、２５、５５、５６、６３．６４に対応的に一体化される。【選択図】図５
2014023676.tif 000002
【特許請求の範囲】
【請求項１】
左右のサイド・サポート・コアが、たわみ方向性のある櫛歯状、ハニカム状などのリブ構造で支持断面形状に形成され、そして、別体で左右のサイド・サポートに対応的にはめ込まれ、もしくは、パッド成形時にその左右のサイド・サポートに対応的に一体化されるところの自動車シートに用いるシート・パッド。
【請求項２】
そのサイド・サポート・コアが、エラストマーのような樹脂で成形される請求項1に記
載の自動車シートに用いるシート・パッド。
【請求項３】
左右のクッション・サイド・サポート・コアが、たわみ方向性のある櫛歯状、ハニカム状などのリブ構造で支持断面形状に形成され、そして、別体で左右のクッション・サイド・サポートに対応的にはめ込まれ、もしくは、パッド成形時にその左右のクッション・サイド・サポートに対応的に一体化されるところの自動車シートに用いるシート・クッション・パッド。
【請求項４】
そのクッション・サイド・サポート・コアが、エラストマーのような樹脂で成形される請求項３に記載の自動車シートに用いるシート・クッション・パッド。
【請求項５】
左右のバック・サイド・サポート・コアが、たわみ方向性のある櫛歯状、ハニカム状などのリブ構造で支持断面形状に形成され、そして、別体で左右のバック・サイド・サポートに対応的にはめ込まれ、もしくは、パッド成形時にその左右のバック・サイド・サポートに対応的に一体化されるところの自動車シートに用いるシート・バック・パッド。
【請求項６】
そのバック・サイド・サポート・コアが、エラストマーのような樹脂で成形される請求項５に記載の自動車シートに用いるシート・バック・パッド。
【発明の詳細な説明】
【技術分野】
【０００１】
この発明は、自動車シートに用いるシート・パッドに関し、詳細には、シートのサイド・サポート部分が上下方向に良好に潰れ、左右方向に剛性が発揮させてそのシートに良好なサポート性および乗降性を両立させるシート・パッドの改善に関する。
【背景技術】
【０００２】
通常、自動車シートでは、シート・パッドがウレタンで発泡成形されるので、シート・サイド・サポート部分にはサポート性と乗降性が相反する要素となり、その両立には妥協が必要であった。
それでクッション・パッドでは、座面部分とクッション・サイド・サポート部分との間で、また、バック・パッドでは、背当て面部分とバック・サイド・サポート部分との間で硬さを変えた原料配合によって異硬度の一体発泡ウレタン・パッドに成形された。
その場合にも硬いとサポート性は良くなるが、乗降性が悪くなるので、また、軟らかいとその乗降性は良くなるが、そのサポート性が悪くなるので、その両立には妥協が必要であった。
【先行技術文献】
【特許文献】
【０００３】
特開２００８−１３２２５４公報
【発明の概要】
【発明が解決しようとする課題】
【０００４】
この発明の課題は、シートのサイド・サポート部分にサポート性と乗降性を両立させて乗り降りおよび座り心地を向上させるところの自動車シートに用いるシート・パッドの提供にある。
【課題を解決するための手段】
【０００５】
この発明の自動車シートに用いるシート・パッドは、左右のサイド・サポート・コアが、たわみ方向性のある櫛歯状、ハニカム状などのリブ構造で支持断面形状に形成され、そして、別体で左右のサイド・サポートに対応的にはめ込まれ、もしくは、パッド成形時にその左右のサイド・サポートに対応的に一体化される。
【発明の効果】
【０００６】
この発明の自動車シートに用いるシート・パッドでは、そのサイド・サポート部分がたわみ方向性のある櫛歯状、ハニカム状などのリブ構造で支持断面形状に形成されてそのサイド・サポート部分のパッド全体、あるいは表層を残したコア部分をそのサイド・サポート・コアに置き換えられるので、シート・クッションでは、上下方向（縦方向）に良好に潰れて乗降性に寄与し、左右方向に剛性を発揮させてサポート性がもたらされ、また、シート・バックでは、前後方向（縦方向）に良好に潰れて乗降性に寄与し、左右方向に剛性を発揮させてサポート性がもたらされ、そのようにしてそのサポート性とその乗降性が両立されて乗り降りおよび座り心地が改善されて良好になる。
【図面の簡単な説明】
【０００７】
【図１】この発明の自動車シートに用いるシート・パッドの具体例を活用するところの乗用車のドライバー・シートを示した斜視図である。
【図２】そのドライバー・シートを示した側面図である。
【図３】サイド・サポート・コアを示した斜視図である。
【図４】そのドライバー・シートのシート・クッションを前方から見て横方向剛性確保を示した部分正面図である。
【図５】そのサイド・サポート・コアでクッション・サイド・サポート・コアおよびバック・サイド・サポート・コアの上下方向たわみを示した側面図である。
【図６】この発明の自動車シートに用いるシート・パッドの別の具体例を活用するところの乗用車のドライバー・シートを示した側面図である。
【図７】別のサイド・サポート・コアを示した斜視図である。
【発明を実施するための形態】
【０００８】
この発明の自動車シートに用いるシート・パッドは、左右のサイド・サポート・コアが、たわみ方向性のある櫛歯状、ハニカム状などのリブ構造で支持断面形状に形成され、そして、別体で左右のサイド・サポートに対応的にはめ込まれ、もしくは、パッド成形時にその左右のサイド・サポートに対応的に一体化される。
【０００９】
具体的には、この発明の自動車シートに用いるシート・クッション・パッドは、  左右のクッション・サイド・サポート・コアが、たわみ方向性のある櫛歯状、ハニカム状などのリブ構造で支持断面形状に形成され、そして、別体で左右のクッション・サイド・サポートに対応的にはめ込まれ、もしくは、パッド成形時にその左右のクッション・サイド・サポートに対応的に一体化される。
【００１０】
また、この発明の自動車シートに用いるシート・バック・パッドは、左右のバック・サイド・サポート・コアが、たわみ方向性のある櫛歯状、ハニカム状などのリブ構造で支持断面形状に形成され、そして、別体で左右のバック・サイド・サポートに対応的にはめ込まれ、もしくは、パッド成形時にその左右のバック・サイド・サポートに対応的に一体化される。
【００１１】
そして、そのサイド・サポート・コア、そのクッション・サイド・サポート・コア、そのバック・サイド・サポート・コアは、エラストマーのような樹脂で成形されるのが望ましい。
【実施例１】
【００１２】
以下、特定されて図示された具体例に基づいて、この発明の自動車シートに用いるシート・パッドを説明するに、図1ないし図５は、この発明の自動車シートに用いるシート・
パッドの具体例１０−１１、１０−１２を活用するところの乗用車のドライバー・シート４０を示し、そして、そのドライバー・シート４０は、シート・トラックおよびシート・リフターを組み込むシート・クッション４１、左右のリクライニング・デバイスでそのシート・クッション４１側の左右のライザーに前倒しおよび角度調整可能に支持されるシート・バック４３、およびそのシート・バック４３に取り外し可能に取り付けられるヘッドレスト（図示せず）などで組み立てられ、そして、そのシート・トラックでその乗用車のフロアに前後調整可能に据え付けられ、そのシート・リフターで上下調整可能にされる。勿論、そのリクライニング・デバイスは、リクライニング・レバー４５で、そのシート・トラックは、タオル・バー型レバーで、そして、そのシート・リフターは、リフト・レバー４６でそれぞれ操作される。
【００１３】
このシート・パッド１０は、シート・クッション・パッド１１およびシート・バック・パッド１２になされるもので、左右のサイド・サポート・コア１７、１８、２６、２７がたわみ方向性のある櫛歯状のリブ構造を採って左右のサイド・サポート部分（サイド・サポート）１５、１６、２４、２５のパッド全体あるいは表層を残す支持断面形状に設計され、そして、エラストマーのような樹脂で成形され、別体でその左右のサイド・サポート部分（サイド・サポート）１５、１６、２４、２５に対応的にはめ込まれ、もしくは、ウ
レタン樹脂でパッド成形時にその左右のサイド・サポート部分（サイド・サポート）１５、１６、２４、２５に対応的に一体化される。
【００１４】
さらに、そのシート・パッド１０をそのシート・クッション・パッド１１およびそのシート・バック・パッド１２として具体的に説明するに、先ず、そのシート・クッション・パッド１１は、左右のクッション・サイド・コア１７、１８が、たわみ方向性のある櫛歯状リブ構造を採って左右のクッション・サイド・サポート１５、１６のパッド全体を置き換える支持断面形状に設計され、そして、エラストマーのような樹脂でシェル型コアに成形され、ウレタン樹脂でパッド成形時に左右のクッション・パッド・サイド１３、１４に対応的に一体化される。勿論、その左右のクッション・サイド・サポート・コア１７、１８は、その左右のクッション・サイド・サポート１５、１６の表層を残す支持断面形状のシェル型コアに設計され、そして、エラストマーのような樹脂で成形され、ウレタン樹脂でパッド成形時にその左右のクッション・サイド・サポート１５、１６に対応的に一体化されてもかまわない。
【００１５】
同様に、そのシート・バック・パッド１２は、左右のバック・サイド・コア２６、２７が、たわみ方向性のある櫛歯状リブ構造を採って左右のバック・サイド・サポート２４、２５のパッド全体を置き換える支持断面形状に設計され、そして、エラストマーのような樹脂でシェル型コアに成形され、ウレタン樹脂でパッド成形時に左右のバック・パッド・サイド２２、２３に対応的に一体化される。勿論、その左右のバック・サイド・サポート・コア２６、２７、その左右のバック・サイド・サポート２４、２５の表層を残す支持断面形状のシェル型コアに設計され、そして、エラストマーのような樹脂で成形され、ウレタン樹脂でパッド成形時にその左右のバック・サイド・サポート２４、２５に対応的に一体化されてもかまわない。
【００１６】
そのクッション・サイド・サポート・コア１７、１８もそのバック・サイド・サポート・コア２６、２７もコア・ベース１９、１９および２８、２８上に多数の櫛歯状リブ２０、２９を前倒れ状、前下り状に突き出し、そして、コア・カバー２１、２１および３０、３０でその多数の櫛歯状リブ２０、２９を覆う支持断面形状のシェル型コアに設計され、そして、エラストマーのような樹脂で成形される。
【００１７】
そのように、そのクッション・サイド・サポート・コア１７、１８もそのバック・サイド・サポート・コア２６、２７も櫛歯状リブ構造を採るので、そのシート・クッション４１では、上下方向縦方向に良好に潰れて乗降性に寄与し、左右方向に剛性を発揮させてサポート性がもたらされ、また、そのシート・バック４３では、前後方向縦方向に良好に潰れて乗降性に寄与し、左右方向に剛性を発揮させてサポート性がもたらされ、そのようにしてそのサポート性とその乗降性が両立されて乗り降りおよび座り心地が改善されて良好になる。
【実施例２】
【００１８】
図６および図７は、この発明の自動車シートに用いるシート・パッドの別の具体例５０−５１、５０−５２を活用するところの乗用車のドライバー・シート７０を示し、そして、そのドライバー・シート７０は、シート・トラックおよびシート・リフターを組み込むシート・クッション７１、左右のリクライニング・デバイスでそのシート・クッション７１側の左右のライザーに前倒しおよび角度調整可能に支持されるシート・バック７３、およびそのシート・バック７３に取り外し可能に取り付けられるヘッドレスト（図示せず）などで組み立てられ、そして、そのシート・トラックでその乗用車のフロアに前後調整可能に据え付けられ、そのシート・リフターで上下調整可能にされる。勿論、そのリクライニング・デバイスは、リクライニング・レバー７５で、そのシート・トラックは、タオル・バー型レバーで、そして、そのシート・リフターは、リフト・レバー７６でそれぞれ操
作される。
【００１９】
このシート・パッド５０は、シート・クッション・パッド５１およびシート・バック・パッド５２になされるもので、左右のサイド・サポート・コア５７、５８、６５、６６がたわみ方向性のあるハニカム状リブ構造を採って左右のサイド・サポート部分（サイド・サポート）５５、５６、６３、６４のパッド全体あるいは表層を残す支持断面形状に設計され、そして、エラストマーのような樹脂で成形され、別体でその左右のサイド・サポート部分（サイド・サポート）５５、５６、６３、６４に対応的にはめ込まれ、もしくは、ウレタン樹脂でパッド成形時にその左右のサイド・サポート部分（サイド・サポート）５５、５６、６３、６４に対応的に一体化される。
【００２０】
さらに、そのシート・パッド５０をそのシート・クッション・パッド５１およびそのシート・バック・パッド５２として具体的に説明するに、先ず、そのシート・クッション・パッド５１は、左右のクッション・サイド・コア５７、５８が、たわみ方向性のあるハニカム状リブ構造を採って左右のクッション・サイド・サポート５５、５６のパッド全体を置き換える支持断面形状に設計され、そして、エラストマーのような樹脂でシェル型コアに成形され、ウレタン樹脂でパッド成形時に左右のクッション・パッド・サイド５３、５４に対応的に一体化される。勿論、その左右のクッション・サイド・サポート・コア５７、５８は、その左右のクッション・サイド・サポート５５、５６の表層を残す支持断面形状のシェル型コアに設計され、そして、エラストマーのような樹脂で成形され、ウレタン樹脂でパッド成形時にその左右のクッション・サイド・サポート５５、５６に対応的に一体化されてもかまわない。
【００２１】
同様に、そのシート・バック・パッド５２は、左右のバック・サイド・コア６５、６６が、たわみ方向性のあるハニカム状リブ構造を採って左右のバック・サイド・サポート６３、６４のパッド全体を置き換える支持断面形状に設計され、そして、エラストマーのような樹脂でシェル型コアに成形され、ウレタン樹脂でパッド成形時に左右のバック・パッド・サイド６１、６２に対応的に一体化される。勿論、その左右のバック・サイド・サポート・コア６５、６６、その左右のバック・サイド・サポート６３、６４の表層を残す支持断面形状のシェル型コアに設計され、そして、エラストマーのような樹脂で成形され、ウレタン樹脂でパッド成形時にその左右のバック・サイド・サポート６３、６４に対応的に一体化されてもかまわない。
【００２２】
そのクッション・サイド・サポート・コア５７、５８もそのバック・サイド・サポート・コア６５、６６もコア・ベース５９、５９および６７、６７上に多数のハニカム・エレメントを左右方向（横方向）に伸びて上下方向に積み重ねるハニカム状リブ６０、６８で支持断面形状のシェル型コアに設計され、そして、エラストマーのような樹脂で成形される。
【００２３】
そのように、そのクッション・サイド・サポート・コア５７、５８もそのバック・サイド・サポート・コア６５、６６もハニカム状リブ構造を採るので、そのシート・クッション７１では、上下方向（縦方向）に良好に潰れて乗降性に寄与し、左右方向に剛性を発揮させてサポート性がもたらされ、また、そのシート・バック７３では、前後方向（縦方向）に良好に潰れて乗降性に寄与し、左右方向に剛性を発揮させてサポート性がもたらされ、そのようにしてそのサポート性とその乗降性が両立されて乗り降りおよび座り心地が改善されて良好になる。
【００２４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し
、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００２５】
上述から理解されるように、この発明の自動車シートに用いるシート・パッドは、左右のサイド・サポート・コアが、たわみ方向性のある櫛歯状、ハニカム状などのリブ構造で支持断面形状に形成され、そして、別体で左右のサイド・サポートに対応的にはめ込まれ、もしくは、パッド成形時にその左右のサイド・サポートに対応的に一体化されるので、この発明の自動車シートに用いるシート・パッドでは、そのサイド・サポート部分がたわみ方向性のある櫛歯状、ハニカム状などのリブ構造で支持断面形状に形成されてそのサイド・サポート部分のパッド全体、あるいは表層を残したコア部分をそのサイド・サポート・コアに置き換えられ、シート・クッションでは、上下方向（縦方向）に良好に潰れて乗降性に寄与し、左右方向に剛性を発揮させてサポート性がもたらされ、また、シート・バックでは、前後方向（縦方向）に良好に潰れて乗降性に寄与し、左右方向に剛性を発揮させてサポート性がもたらされ、そのようにしてそのサポート性とその乗降性が両立されて乗り降りおよび座り心地が改善されて良好になり、その結果、自動車シートにとって非常に有用で実用的である。
【符号の説明】
【００２６】
１０  シート・パッド
１１  シート・クッション・パッド
１２  シート・バック・パッド
１３  左のクッション・パッド・サイド
１４  右のクッション・パッド・サイド
１５  左のクッション・サイド・サポート
１６  右のクッション・サイド・サポート
１７  左のクッション・サイド・サポート・コア
１８  右のクッション・サイド・サポート・コア
１９  コア・ベース
２０  櫛歯状リブ
２１  コア・カバー
２２  左のバック・パッド・サイド
２３  右のバック・パッド・サイド
２４  左のバック・サイド・サポート
２５  右のバック・サイド・サポート
２６  左のバック・サイド・サポート・コア
２７  右のバック・サイド・サポート・コア
２８  コア・ベース
２９  櫛歯状リブ
３０  コア・カバー
４０  ドライバー・シート
４１  シート・クッション
４２  表皮
４３  シート・バック
４４  表皮
４５  リクライニング・レバー
４６  リフト・レバー
５０  シート・パッド
５１  シート・クッション・パッド
５２  シート・バック・パッド
５３  左のクッション・パッド・サイド
５４  右のクッション・パッド・サイド
５５  左のクッション・サイド・サポート
５６  右のクッション・サイド・サポート
５７  左のクッション・サイド・サポート・コア
５８  右のクッション・サイド・サポート・コア
５９  コア・ベース
６０  ハニカム状リブ
６１  左のバック・パッド・サイド
６２  右のバック・パッド・サイド
６３  左のバック・サイド・サポート
６４  右のバック・サイド・サポート
６５  左のバック・サイド・サポート・コア
６６  右のバック・サイド・サポート・コア
６７  コア・ベース
６８  ハニカム状リブ
７０  ドライバー・シート
７１  シート・クッション
７２  表皮
７３  シート・バック
７４  表皮
７５  リクライニング・レバー
７６  リフト・レバー
【図１】
2014023676.tif 000003
【図２】
2014023676.tif 000004
【図３】
2014023676.tif 000005
【図４】
2014023676.tif 000006
【図５】
2014023676.tif 000007
【図６】
2014023676.tif 000008
【図７】
2014023676.tif 000009